(57)【要約】【課題】ブラーリングの減少及び輝度の向上したＯＣＢモードの液晶表示装置及びその駆動方法を提供する。【解決手段】ＯＣＢ液晶をベンド転移させるための高電圧をリセット電圧としてＯＣＢ液晶の共通電極に印加するＯＣＢモードを有する液晶表示装置及びその駆動方法であって、本発明に係るＯＣＢモードを有する液晶表示装置は、毎フレーム初期や各画素のデータ印加前に、ＤＣ-ＤＣコンバータの電圧を共通電極に印加してＯＣＢ液晶をリセットする。また、１フレームを、赤色と、緑色と、青色のフィールドとに分けて順次駆動する場合、各フィールド開始前に、ＤＣ-ＤＣコンバータの電圧を共通電極に印加してＯＣＢ液晶をリセットする。前記ＤＣ-ＤＣコンバータは、１５Ｖから３０Ｖを共通電極に印加する。前記リセット時、液晶の光透過率は、０(ブラック状態)になる。【選択図】図７
2010033076.tif 000002
【特許請求の範囲】
【請求項１】
多数のスキャンラインと多数のデータラインとが交差する領域に位置し、共通電極と画素電極及びＯＣＢ液晶とから構成された液晶キャパシタを含む多数の画素で構成された液晶表示パネルと；
前記多数のスキャンラインにスキャン信号を印加するスキャンドライバと；
前記多数のデータラインに階調データを印加するソースドライバと；
前記ＯＣＢ液晶をベンド転移させるためのＤＣ電圧を出力するＤＣ-ＤＣコンバータと；
前記ＤＣ-ＤＣコンバータの出力電圧と共通電圧とを選択して前記共通電極に伝達するためのスイッチング部と；
前記液晶表示パネルに光を出力するバックライトを制御する光源制御器と；
前記スキャンドライバ、前記ソースドライバ、前記スイッチング部及び前記光源制御器の動作を制御するタイミング制御部とを含み、
前記多数の画素に階調データが印加される前に、前記スイッチング部は、前記ＤＣ-ＤＣコンバータの出力電圧を前記共通電極に印加して前記ＯＣＢ液晶をリセットし、前記ソースドライバは、前記スイッチング部で前記ＤＣ-ＤＣコンバータの出力電圧を選択時に、前記階調データを印加しないことを特徴とする液晶表示装置。
【請求項２】
前記ＤＣ-ＤＣコンバータの出力電圧は、
１５Ｖから３０Ｖであることを特徴とする請求項１に記載の液晶表示装置。
【請求項３】
前記ＯＣＢ液晶は、
前記ＯＣＢ液晶のリセット時に、光透過率が０であることを特徴とする請求項１に記載の液晶表示装置。
【請求項４】
前記バックライトは、
白色光を発光する白色ＬＥＤまたはＣＣＦＬ(Cold Cathode Fluoresence Lamp)から構成されたことを特徴とする請求項１に記載の液晶表示装置。
【請求項５】
前記液晶表示装置は、
前記多数の画素の共通電極上に位置し、前記バックライトから発光する光をフィルタする赤色、緑色及び青色のカラーフィルターを更に含むことを特徴とする請求項４に記載の液晶表示装置。
【請求項６】
前記各々の画素は、
前記スキャンラインのスキャン信号に応答して、前記データラインを介して伝達される階調データを前記画素電極に伝達するスイッチングトランジスタと；
前記階調データを貯蔵する貯蔵キャパシタとを更に含むことを特徴とする請求項１に記載の液晶表示装置。
【請求項７】
階調データが印加される画素電極と共通電圧が印加される共通電極との間に形成される
ＯＣＢ液晶を備える多数の画素と、前記ＯＣＢ液晶を高速にベンド転移させるための電圧を出力するＤＣ-ＤＣコンバータと、前記多数の画素に光を出力するバックライトとを含む液晶表示装置の駆動方法において、
(a)前記液晶表示装置の初期起動時に、前記ＤＣ-ＤＣコンバータから前記ＯＣＢ液晶に電圧を印加してベンド転移させる段階と；
(b)前記多数の画素のうち、第ｎ-１の画素の画素電極に第ｎ-１の階調データを印加する段階と；
(c)前記(b)段階後に、前記ＤＣ-ＤＣコンバータから前記共通電極に電圧を印加して前記ＯＣＢ液晶をリセットする段階と；
(d)第ｎの画素の画素電極に第ｎの階調データを印加する段階と；
(e)前記(d)段階後に、前記ＤＣ-ＤＣコンバータから前記共通電極に電圧を印加して前記ＯＣＢ液晶をリセットする段階と；
(f)前記(b)段階ないし(e)段階を繰り返す段階とを含み、
前記階調データは、前記(c)段階、(e)段階では印加されないことを特徴とする液晶表示装置の駆動方法。
【請求項８】
前記ＤＣ-ＤＣコンバータの出力電圧は、
１５Ｖから３０Ｖであることを特徴とする請求項７に記載の液晶表示装置の駆動方法。
【請求項９】
前記ＯＣＢ液晶は、
前記ＯＣＢ液晶のリセット時に、光透過率が０であることを特徴とする請求項７に記載の液晶表示装置の駆動方法。
【請求項１０】
前記バックライトは、
前記(b)段階ないし(f)段階の間に、光を出力することを特徴とする請求項７に記載の液晶表示装置の駆動方法。
【請求項１１】
前記バックライトは、
白色光を発光する白色ＬＥＤまたはＣＣＦＬ(Cold Cathode Fluoresence Lamp)から構成されたことを特徴とする請求項７に記載の液晶表示装置の駆動方法。
【請求項１２】
前記液晶表示装置は、
前記多数の画素の共通電極上に位置し、前記バックライトから発光する光をフィルタする赤色、緑色及び青色のカラーフィルターを更に含むことを特徴とする請求項１１に記載の液晶表示装置の駆動方法。
【発明の詳細な説明】
【技術分野】
【０００１】
本発明は、液晶表示装置(Liquid Crystal Display Device: ＬＣＤ)及びその駆動方法に関し、より具体的には、ＯＣＢ液晶をベンド転移(bend transition)させるための高電圧をリセット電圧としてＯＣＢ液晶の共通電極に印加するＯＣＢ(Optically Compensated Bend)モードを有する液晶表示装置及びその駆動方法に関するものである。
【背景技術】
【０００２】
近来、パーソナルコンピュータやテレビなどの軽量、薄型化に伴い、ディスプレイ装置も軽量化、薄型化が求められており、このような要求によって陰極線管(Cathode Ray Tube: CRT)の代わりに液晶表示装置(Liquid Crystal Display； ＬＣＤ)のような平板型ディスプレイが開発されている。
【０００３】
ＬＣＤは、２つの基板間に注入されている異方性誘電率を持つ液晶物質に電界(Ｅlectric Field)を印加し、この電界の強さを調節して外部の光源(バックライト)から基板に透過される光の量を調節することで、所望の画像信号を得る表示装置である。
【０００４】
このような液晶表示装置は、画面を見る方向によって明暗と色とが変わる狭い視野角を有するという短所がある。このような短所を克服する方法が複数提案されている。例えば、ＬＣＤの視野角向上のためには、導光板の表面にプリズム板を押し付け、バックライトから入射光の直進性を向上させて、垂直方向の輝度を３０%以上向上させる方式が実用化されており、ネガ(Negative)光補償板を取り付けて視野角を高める方法を適用しつつある。
【０００５】
また、イン・プレーン・スイッチング(In Plane Switching)モードが開発され、上下左右の視野角が１６０°とほぼ陰極線管水準の広視野角化がなされているが、開口率が相対的に低くて、これに対する改善策が必要となる。
【０００６】
この他にも、ＯＣＢ(Optically Compensated Bend ； 以下、'ＯＣＢ'と呼ぶ。)方式、ＰＤＬＣ(Polymer Dispersed Liquid Crystal)方式、ＤＨＦ(Deformed Helix Ferroelectric)方式などを薄膜トランジスタ(Thin Film Transistor:ＴＦＴ)で駆動して、視野角を改善する努力など、多くの試みがなされている。
【０００７】
特に、ＯＣＢモードの場合、液晶の応答速度が早く、広視野角の特性を持っているため、動映像を具現するのに長所があり、現在、研究開発が活発に進行されつつある。
【０００８】
図１は、一般的なＯＣＢモードの動作を説明するための液晶状態図である。
【０００９】
図１を参照すれば、上板電極と下板電極との間に位置するＯＣＢ液晶の初期配向状態はホモジーニアス状態(Homogenous State)であり、上/下板電極に所定の電圧を印加すれば、転移スプレー(Transient Splay)及び非対称スプレー(Asymmetric Splay)を経てベンド状態(Bend State)に変換された後、ＯＣＢモードで動作する。
【００１０】
図１に示すように、一般的にＯＣＢ液晶セルは、傾斜角(Tilt Angle)が約１０〜２０°、液晶セルの厚さは４〜７μmで作られ、配向膜を同じ方向にラビング(Rubing)する方式を取っている。液晶層の真中での液晶分子の配列は、左右対称となるので、特定の電圧以下では、傾斜角が０°であり、特定の電圧以上では、傾斜角が９０°となり、初期に大きい電圧をかけて液晶層の中心部において液晶分子の傾斜角を９０°と作り、印加電圧を異ならせて配向膜と液晶層とのうち液晶分子を除いた残りの液晶分子のチルト(Tilt)変化により液晶層を経る光の偏光を変調する。中心部位の液晶分子の傾斜角が０°から９０°に配列するのに時間が通常数秒程度かかり、バックフロー(Back-Flow)がなく、弾性係数が大きい曲げ変形なので、反応時間は、１０μm程度と極めて早いという特徴がある。
【００１１】
ＯＣＢモードのためのベンド配向を得るまでは、一定時間、すなわち、ベンド転移時間が必要となり、このような転移時間を短縮するためには、液晶両端に高電圧を印加しなければならない。このような高電圧は、一般的に外部電源であるＤＣ-ＤＣコンバータを用いて共通電極に高電圧を印加することで、高速にベンド配向を得ることができる。
【００１２】
液晶表示装置は、携帯の簡便な平板型ディスプレイ(Flat Panel Display)の中で代表的なものであり、この中でも薄膜トランジスタ(Thin Film Transistor: ＴＦＴ)をスイッチング素子に用いたＴＦＴ-ＬＣＤが主として利用されている。
【００１３】
ＴＦＴ-ＬＣＤにおいて、各画素は、液晶を誘電体で有するキャパシタ、すなわち、液晶キャパシタにモデリングすることができ、このようなＬＣＤにおける各画素の等価回路は、図２の通りである。
【００１４】
図２は、従来の液晶表示装置のn×m個の画素のうち、代表的な画素回路図である。
【００１５】
図２に示すように、液晶表示装置の各画素は、データ線(Ｄｍ)と走査線(Ｓｎ)とにそれぞれソース電極とゲート電極とが接続されるＴＦＴ１０と、ＴＦＴのドレイン電極と共通電圧(Ｖｃｏｍ)との間に接続される液晶キャパシタ(ＣＬＣ)と、ＴＦＴのドレイン電極に接続されるストーリッジキャパシタ(Ｃｓｔ)を含む。
【００１６】
図２において、走査線(Ｓｎ)に走査信号が印加されて、ＴＦＴ１０がターンオンされると、データ線に供給されたデータ電圧(Ｖｄ)がＴＦＴを通じて各画素電極(図示せず)に印加される。すると、画素電極に印加される画素電圧(Ｖｐ)と共通電圧(Ｖｃｏｍ)との差に相当する電界が液晶(図２では、等価的に液晶キャパシタ(ＣＬＣ)で示した)に印加され、この電界の強さに対応する透過率で光が透過されるようにする。この時、画素電圧(Ｖｐ)は、１フレームまたは１フィールドの間に保持されなければならないが、図２において、ストーリッジキャパシタ(Ｃｓｔ)は、画素電極に印加された画素電圧(Ｖｐ)を１フレームまたは１フィールドの間に保持するために補助的に使われる。
【００１７】
一般的に、液晶表示装置は、カラーイメージを表示する方式によってカラーフィルター(Color Filter)方式とフィールド順次(Field-Sequential)駆動方式との２通りの方式で分けることができる。
【００１８】
カラーフィルター方式の液晶表示装置は、２つの基板のうち１つの基板に赤色(Ｒ)、緑色(Ｇ)、青色(Ｂ)の３原色からなるカラーフィルター層を形成し、このカラーフィルター層に透過される量を調節することで、所望のカラーを表示する。カラーフィルター方式のＬＣＤは、単一の光源から照射されて液晶を通じて透過される光をＲ、Ｇ、Ｂのカラーフィルター層に透過させるに際して、Ｒ、Ｇ、Ｂのカラーフィルター層に透過される光の量を調節してＲ、Ｇ、Ｂ色を合成することで、所望のカラーを表示する。
【００１９】
このように、単一の光源とＲ、Ｇ、Ｂの３色カラーフィルター層とを用いてカラーを表示する液晶表示装置においては、Ｒ、Ｇ、Ｂの各領域毎にそれぞれ対応する単位画素が必要なので、黒白を表示する場合よりも３倍多い画素が必要になる。したがって、高解像度の画像を得るためには、液晶表示装置のパネルの精巧な製造技術が要求される。
【００２０】
また、液晶表示装置の基板に別途のカラーフィルター層を形成しなければならない製造上の煩わしさがあり、カラーフィルター自体の光透過率を向上しなければならないという問題点がある。
【００２１】
フィールド順次駆動方式の液晶表示装置は、Ｒ、Ｇ、Ｂの各色の独立した光源を順次周期的に点灯し、その点灯周期に同期して各画素に対応する色信号を加えることにより、フルカラーの画像を得るようにする。すなわち、フィールド順次駆動方式の液晶表示装置によれば、一つの画素をＲ、Ｇ、Ｂの単位画素で分割しなく、一つの画素にＲ、Ｇ、Ｂのバックライトから出力されるＲ、Ｇ、Ｂの３原色の光を時分割的に順次表示することによって、目の残像効果を利用してカラーイメージを表示する。
【００２２】
このような、フィールド順次駆動方式は、アナログ駆動方式とデジタル駆動方式とに区分することができる。
【００２３】
アナログ駆動方式は、表示しようとする階調数に対応する多数の階調電圧を設定し、前記階調電圧のうち階調データに相応する一つの階調電圧を選択し、選択された階調電圧で液晶パネルを駆動することにより、印加された階調電圧に対応する透過光量で階調表示を行う。
【００２４】
図３は、従来のアナログ駆動方式の液晶表示装置による駆動電圧及び光透過率を示す図である。
【００２５】
図３において、駆動電圧は、液晶に印加される電圧を意味し、光透過率(Optical Transmittance)は、液晶に光が印加される場合、印加された光に対する透過割合を意味する。すなわち、光透過率とは、液晶が光を透過させることのできるねじれ程度を意味する。
【００２６】
図３を参照すれば、Ｒカラーを表示するためのＲフィールド区間(Ｔｒ)において、Ｖ１１レベルの駆動電圧が液晶に印加され、 Ｖ１１レベルの駆動電圧に相応する光が液晶を透過する。Ｇカラーを表示するためのＧフィールド区間(Ｔｇ)においては、Ｖ１２レベルの駆動電圧が印加され、Ｖ１２レベルの駆動電圧に相応する光が液晶を透過する。そして、Ｂのカラーを表示するためのＢフィールド区間(Ｔｂ)において、Ｖ１３レベルの駆動電圧が印加され、Ｖ１３レベルの駆動電圧に相応する光透過量が得られる。Ｔｒ、Ｔｇ、Ｔｂ 区間において透過されたそれぞれＲ、Ｇ、Ｂの光の和によって、所望のカラーイメージがディスプレイされる。
【００２７】
一方、デジタル駆動方式は、液晶に印加される駆動電圧を一定にし、電圧印加時間を制御して階調表示を行う。このようなデジタル駆動方式によれば、駆動電圧を一定に保持し、電圧印加状態及び電圧無印加状態をタイミング的に制御して、液晶に透過される累積光量を調節することで階調を表示する。
【００２８】
図４は、従来のデジタル駆動方式の液晶表示装置の駆動電圧及び光透過率を説明するための波形図を示すもので、所定ビットの駆動データによる駆動電圧の波形とそれによる液晶の光透過率とを示すものである。
【００２９】
図４を参照すれば、各階調に相応する階調波形データが、所定のビット、例えば、７ビットのデジタル信号に与えられ、７ビットのデータによる階調波形が液晶に印加される。そして、印加された階調波形によって液晶の光透過率が決められて階調表示を行う。
【００３０】
一方、従来のカラーフィルター方式の液晶表示装置によれば、以前フレームから順次印加される階調データによる液晶の応答は、現在フレームの階調データによる液晶の応答に影響を与える。
【００３１】
また、従来のフィールド順次駆動方式によれば、現在表示しようとする階調(例えば、Ｒの階調)がすぐ直前に表示された階調(例えば、Ｂの階調)によって実効値応答が変わる
ため、正確に階調表示できないという問題点があった。すなわち、現在、液晶に実際に供給される画素電圧(Ｖｐ)は、現在フィールド(例えば、Ｒフィールド)に供給される階調電圧(または階調波形)だけでなく、直前フィールド(例えば、Ｂフィールド)に供給される階調電圧(または階調波形)によっても決定される。
【００３２】
これは、早い動画像の場合、以前フレームまたは以前フィールドの階調値が現在フレームまたは現在フィールドの階調値と混ぜられて、ボケた画像が出るブラーリング(Blurring)を発生させる。
【００３３】
このように、すぐ以前のフィールドまたは以前フレームに表示された階調データによって液晶の応答が変わるという従来の問題点を解決するため、リセットパルスを用いた液晶表示装置の駆動方式が開示されている。
【００３４】
図５は、従来のリセットパルスを用いた液晶表示装置の駆動方式を示す図である。
【００３５】
図５を参照すれば、各階調データの入力区間(Ｔ３１-Ｔ３６)が終わるところにおいて、所定時間(ｔ３１-ｔ３６)の間、入力される階調データとは無関係に(Independent)、階調データの最大値よりも大きい所定の電圧(リセット電圧)が印加される。このようなリセット電圧の印加により、各階調データの入力区間(Ｔ３１-Ｔ３６)の終了時点において、液晶の状態は共に同一の状態(例えば、光を透過させないブラック状態、光透過率が０の状態)に初期化される。
【００３６】
したがって、各区間(Ｔ３１-Ｔ３６)において、階調データによる印加電圧によって液晶が駆動される時、以前に表示された階調とは無関係で液晶の状態が共に同一の状態となるので、以前に表示された階調が現在の階調表示区間に影響を与えなくなる。
【００３７】
しかし、従来のリセット方法によれば、階調データが印加される前に、リセット電圧によって液晶の状態が共に同一の状態、すなわち、ブラック状態となるので、ブラーリング(Blurring)現象は除去できるが、ソースドライバから出力されるリセット最大電圧は、５Ｖから７Ｖなので、液晶をリセットするのに時間が長くかかり、光源が透過される時間がリセット区間ほど小さくなるので、リセットを印加しない駆動方式に比べて輝度が下がるという問題点がある。
【先行技術文献】
【特許文献】
【００３８】
【特許文献１】特開２０００−３４７６３６号公報
【特許文献２】特開２００２−３０３８４９号公報
【発明の概要】
【発明が解決しようとする課題】
【００３９】
前記問題点を解決するために、本発明は、フレーム初期毎にまたは階調データの印加時毎に、外部の高い電圧を液晶リセット電圧として用いて共通電極に印加することにより、短時間で液晶をリセットさせて、ブラーリング(Blurring)の減少及び輝度の向上したＯＣＢモードの液晶表示装置及びその駆動方法を提供する。
【課題を解決するための手段】
【００４０】
本発明による液晶表示装置は、多数のスキャンラインと多数のデータラインとが交差する領域に位置し、共通電極と画素電極及びＯＣＢ液晶とから構成された液晶キャパシタを含む多数の画素と；前記多数のスキャンラインにスキャン信号を印加するスキャンドライバと；前記多数のデータラインに階調データを印加するソースドライバとを含む。
【００４１】
本発明による液晶表示装置は、更に、前記ＯＣＢ液晶をベンド転移させるためのＤＣ電圧を出力するＤＣ-ＤＣコンバータと；前記ＤＣ-ＤＣコンバータの出力電圧と共通電圧とを選択して前記共通電極に伝達するためのスイッチング部と；前記多数の画素に光を出力するバックライトを制御する光源制御器と；前記スキャンドライバ、前記ソースドライバ、前記スイッチング部及び前記光源制御器の動作を制御するタイミング制御部とを含む。
【００４２】
本発明による液晶表示装置は、更に、前記多数の画素に階調データが印加される前に、前記スイッチング部は、前記ＤＣ-ＤＣコンバータの出力電圧を前記共通電極に印加して前記ＯＣＢ液晶をリセットし、前記ソースドライバは、前記スイッチング部で前記ＤＣ-ＤＣコンバータの出力電圧を選択時に、前記階調データを印加しないことを特徴とする。
【００４３】
本発明による液晶表示装置の駆動方法は、階調データが印加される画素電極と共通電圧が印加される共通電極との間に形成されるＯＣＢ液晶を備える多数の画素と、前記ＯＣＢ液晶を高速にベンド転移させるための電圧を出力するＤＣ-ＤＣコンバータと、前記多数の画素に光を出力するバックライトとを含む液晶表示装置の駆動方法において、(a)前記液晶表示装置の初期起動時に、前記ＤＣ-ＤＣコンバータから前記ＯＣＢ液晶に電圧を印加してベンド転移させる段階と；(b)前記多数の画素のうち、第ｎ-１の画素の画素電極に第ｎ-１の階調データを印加する段階とを含む。
【００４４】
本発明による液晶表示装置の駆動方法は、更に、(c)前記(b)段階後に、前記ＤＣ-ＤＣコンバータから前記共通電極に電圧を印加して前記ＯＣＢ液晶をリセットする段階と；(d)第ｎの画素の画素電極に第ｎの階調データを印加する段階と；(e)前記(d)段階後に、前記ＤＣ-ＤＣコンバータから前記共通電極に電圧を印加して前記ＯＣＢ液晶をリセットする段階と；(f)前記(b)段階ないし(e)段階を繰り返す段階とを含む。
【００４５】
本発明による液晶表示装置の駆動方法は、更に、前記階調データが、前記(c)段階、(e)段階では印加されないことを特徴とする。
【発明の効果】
【００４６】
前記のように、本発明の実施例によるＯＣＢモードの液晶表示装置は、ＯＣＢモードにおいてＯＣＢ液晶をベンド転移させるのに用いられるＤＣ-ＤＣコンバータから出力される高電圧を共通電極にリセット電圧として印加し、各画素のＯＣＢ液晶を迅速にリセットさせて、動映像の駆動時に、以前フレームや以前階調データまたは以前フィールドの影響で、現在の画面がボケて見えるブラーリング(Blurring)効果を除去すると共に、リセット時間の短縮による輝度向上の効果を奏する。
【図面の簡単な説明】
【００４７】
【図１】一般的なＯＣＢモードの動作を説明するための液晶状態図である。
【図２】従来の液晶表示装置のn×m個の画素のうち代表的な画素回路図である。
【図３】従来のアナログ駆動方式の液晶表示装置による駆動電圧及び光透過率を示す図である。
【図４】従来のデジタル駆動方式の液晶表示装置の駆動電圧及び光透過率を示す図である。
【図５】従来のリセットパルスを用いた液晶表示装置の駆動方式を示す図である。
【図６】本発明の実施例によるＯＣＢモードの液晶表示装置を示すブロック図である。
【図７】本発明の第１の実施例によるＯＣＢモードを有する液晶表示装置の駆動方法を示すタイミングチャートである。
【図８】本発明の第２の実施例によるＯＣＢモードを有するフィールド順次液晶表示装置の駆動方法を示すタイミングチャートである。
【図９】本発明の第３の実施例によるＯＣＢモードを有する液晶表示装置の駆動方法を示すタイミングチャートである。
【発明を実施するための形態】
【００４８】
以下、本発明の望ましい実施例を、添付の図面を参照して詳しく述べる。以下で述べる“リセット”とは、ＬＣＤにあるＯＣＢ液晶物質がバックライトの光を透過できないブラック状態(光透過率が０の状態を意味する)にするため、電圧(または波形)を印加することを意味する。そして、“階調データ”とは、互いに異なる電圧レベルを有するデータを意味する。そして、“光透過率”とは、液晶に一定の光が印加されたと仮定する場合、印加された光に対する透過された光の割合を意味し、“光透過量”とは、液晶に実際の光が印加され、液晶を透過した光の量を意味する。
【００４９】
図６は、本発明の実施例によるＯＣＢモードの液晶表示装置を示すブロック図である。
【００５０】
図６を参照すれば、本発明の実施例によるＯＣＢモードの液晶表示装置は、タイミング制御部１００、スキャンドライバ２００、ソースドライバ３００、ＤＣ-ＤＣコンバータ４００、スイッチング部５００、液晶表示パネル６００、光源制御器７００、バックライト８００及び階調電圧発生部９００を含む。
【００５１】
液晶表示パネル６００は、複数のスキャンライン(Ｓ１- Ｓｎ)と複数のデータライン(Ｄ１-Ｄｍ)とが交差する領域に形成された複数の画素６１０から構成される。複数の画素６１０については、図２で既に説明したので、その説明を省略することとする。
【００５２】
スキャンドライバ２００は、複数のスキャンライン(Ｓ１- Ｓｎ)を通じてゲート電圧を印加し、ソースドライバ３００は、複数のデータライン(Ｄ１-Ｄｍ)を通じてデータ電圧を当該の画素に印加して、液晶表示パネル６００を駆動する。
【００５３】
階調電圧発生部９００は、階調データ(Ｒ、Ｇ、Ｂ data)に該当する大きさを有する階調電圧を生成してデータドライバ３００に供給する。
【００５４】
ＤＣ-ＤＣコンバータ４００は、所定のバイアス電圧をスイッチング部５００に出力し、出力されるバイアス電圧は、スイッチング部５００から液晶の初期起動時と毎フレーム初期、あるいは、毎フィールド(フィールド順次駆動の場合)初期、あるいは、階調データの印加時(カラーフィルター駆動の場合)毎に前記画素６１０の共通電極に印加される。前記ＤＣ-ＤＣコンバータ４００から出力されるバイアス電圧は、ＯＣＢ液晶を迅速にベンド転移させるために、１５Ｖから３０Ｖの電圧を持つ。
【００５５】
スイッチング部５００は、タイミング制御部１００から印加されるスイッチング制御信号(Ｓｃ)によって、ＯＣＢ液晶の初期起動時と毎フレーム初期、あるいは、毎フィールド(フィールド順次駆動の場合)初期、あるいは、階調データの印加時(カラーフィルター駆動の場合)毎に、ＤＣ-ＤＣコンバータ４００のバイアス電圧は、前記画素６１０の共通電極に印加される。
【００５６】
タイミング制御部１００は、外部またはグラフィック制御器(図示せず)から階調データ信号(Ｒ、Ｇ、Ｂ data)、水平同期信号(Hsync)、垂直同期信号(Vsync)を入力されて、必要な制御信号(Ｓｇ、Ｓｄ、 Ｓｃ 、Ｓｂ)をそれぞれスキャンドライバ２００、ソースドライバ３００、スイッチング部５００及び光源制御器７００に供給し、階調データ(Ｒ、Ｇ、Ｂ data)を階調電圧発生部９００に供給する。前記タイミング制御部１００は、液晶表示装置の初期起動時には、すなわち、ＯＣＢ液晶が高速にベンド転移されるための高電圧を印加するようにスイッチング部５００に制御信号(Ｓｃ)を送り、その後は、毎フレーム初期、あるいは、毎フィールド(フィールド順次駆動の場合)初期、あるいは、階調データの印加時(カラーフィルター駆動の場合)毎にＤＣ-ＤＣコンバータ４００のリセット電圧(Ｖｒｅ)を印加し、その他には、共通電圧(Ｖｃｏｍ)を印加するように前記スイッチング部５００に制御信号(Ｓｃ)を印加する。なお、タイミング制御部１００は、ＯＣＢ液晶のベンド転移完了後には、バックライト６００を駆動するための光源制御信号(Ｓｂ)を光源制御器７００に与える。
【００５７】
光源制御器７００は、タイミング制御部１００から印加されるバックライト制御信号(Ｓｂ)によって、液晶表示パネル６００の後面に配置されたバックライト８００を駆動するための所定の電圧を印加する。前記バックライト８００は、フィールド順次(Field-Sequiential)駆動方式の場合、赤色、緑色及び青色光を順次出力する赤色ＬＥＤ、緑色ＬＥＤ及び青色ＬＥＤからなってもよく、カラーフィルター(Color Filter)を用いる駆動方式の場合、白色光を出力する白色ＬＥＤまたはＣＣＦＬ(Cold Cathode Fluoresence Lamp)であってもよい。カラーフィルターを用いる駆動方式の液晶表示装置の場合、各単位画素毎に、赤色、緑色及び青色のカラーフィルターが共通電極上に位置する。
【００５８】
前記のように、本発明の実施例によるＯＣＢモードの液晶表示装置は、ＯＣＢ液晶の初期起動時に高速のベンド配向転移を得るために液晶表示パネルの共通電極に印加される高電圧を用いて、毎フレーム初期、あるいは、毎フィールド(フィールド順次駆動の場合)初期、あるいは、階調データの印加時(カラーフィルター駆動の場合)毎に高いリセット電圧を短く印加することで、以前フレームまたは以前フィールドまたは以前階調データのイメージが混ぜられて出るブラーリング(Blurring)の減少効果と共に、短時間でリセット電圧を印加するため、ブラックデータの挿入による輝度の減少を改善することができる。
【００５９】
以下、本発明の実施例によるＯＣＢモードを有する液晶表示装置の駆動方法について詳しく述べる。
【００６０】
図７は、本発明の第１の実施例によるＯＣＢモードを有する液晶表示装置の駆動方法を示すタイミングチャートである。
【００６１】
図７を参照すれば、複数のフレームのうち、第n-１のフレーム、第nのフレーム、第n+１のフレームについて代表的に示す。ここで、“フレーム(Frame)”とは、前記スキャンドライバ２００から第１のスキャンライン(Ｓ１)から第ｎのスキャンライン(Ｓｎ)まで順次スキャン信号を印加し、前記スキャン信号と同期して、前記ソースドライバ３００から第１のデータライン(Ｄ１)から第ｍのデータライン(Ｄｍ)まで順次データ信号(Ｄ１-Ｄｍ)を印加して、液晶表示パネル６００上に一画像を表現することを言う。フィールド順次方式の液晶表示装置の場合、バックライト８００が赤色ＬＥＤ、緑色ＬＥＤ、青色ＬＥＤを通じて順次光を出力する。なお、カラーフィルター方式の液晶表示装置の場合、バックライト８００が白色光(例えば、ＷＬＥＤまたはＣＣＦＬ)を出力し、各単位画素別に、赤色、緑色及び青色のカラーフィルターを備えて、各カラーフィルターを通じて色が具現される。
【００６２】
図６に示した液晶表示装置を参照して図７を説明すれば、本発明の第１の実施例による液晶表示装置の駆動方法は、まず、第n-１のフレームの間、スキャンドライバ２００から第１のスキャンライン(Ｓ１)にスキャン信号(Ｓ１)が印加されると、前記第１のスキャンライン(Ｓ１)と接続された画素(Ｐ１１-Ｐ１ｍ)が選択され、ソースドライバ３００からデータ信号(Ｄ１１-Ｄ１ｍ)が第１のスキャンライン(Ｓ１)に接続された画素(Ｐ１１-Ｐ１ｍ)の液晶キャパシタ(ＣＬＣ)の下部電極である画素電極に与えられる。第n-１のフレームの第１のスキャンライン(Ｓ１)が駆動される間に、液晶キャパシタ(ＣＬＣ)の上部電極である共通電極(ｃｏｍ)には、基準電圧としての共通電圧(Ｖｃｏｍ)が印加される。この時、第n-１のフレームの第１のスキャンライン(Ｓ１)が駆動される間に、バックライト８００は光を出力して、前記データ信号(Ｄ１１-Ｄ１ｍ)に相応する透過率を持つＯＣＢ液晶を透過して表示される。
【００６３】
次に、第n-１のフレームの間に、スキャンドライバ２００から第２のスキャンライン(Ｓ２)にスキャン信号(Ｓ２)が印加されると、前記第２のスキャンライン(Ｓ２)と接続された画素(Ｐ２１-Ｐ２ｍ)が選択され、ソースドライバ３００からデータ信号(Ｄ２１-Ｄ２ｍ)が第２のスキャンライン(Ｓ２)に接続された画素(Ｐ２１-Ｐ２ｍ)の液晶キャパシタ(ＣＬＣ)の下部電極である画素電極に与えられる。第n-１のフレームの第２のスキャンライン(Ｓ２)が駆動される間に、液晶キャパシタ(ＣＬＣ)の上部電極である共通電極(ｃｏｍ)には、基準電圧としての共通電圧(Ｖｃｏｍ)が印加される。この時、第n-１のフレームの第２のスキャンライン(Ｓ２)が駆動される間に、バックライト８００は、光を出力して、前記データ信号(Ｄ２１-Ｄ２ｍ)に相応する透過率を持つＯＣＢ液晶を透過して表示される。
【００６４】
前記のような手順で、 第n-１のフレームで第３、４ 、・・・のスキャンライン(Ｓ３、Ｓ４、・・・)が順次にスキャンされ、最後に、第n-１のフレームの間に、スキャンドライバ２００から第ｎのスキャンライン(Ｓｎ)にスキャン信号(Ｓｎ)が印加されると、前記第ｎのスキャンライン(Ｓｎ)と接続された画素(Ｐｎ１-Ｐｎｍ)が選択され、ソースドライバ３００からデータ信号(Ｄｎ１-Ｄｎｍ)が第ｎのスキャンライン(Ｓｎ)に接続された画素(Ｐｎ１-Ｐｎｍ)の液晶キャパシタ(ＣＬＣ)の下部電極である画素電極に与えられる。第n-１のフレームの第ｎのスキャンライン(Ｓｎ)が駆動される間に、液晶キャパシタ(ＣＬＣ)の上部電極である共通電極(ｃｏｍ)には、基準電圧としての共通電圧(Ｖｃｏｍ)が印加される。この時、第n-１のフレームの第ｎのスキャンライン(Ｓｎ)が駆動される間に、バックライト８００は、光を出力して、前記データ信号(Ｄｎ１-Ｄｎｍ)に相応する透過率を持つＯＣＢ液晶を透過して表示される。
【００６５】
一方、第n-１のフレームが表示された後、第nのフレームが表示される前に、タイミング制御部１００は、スイッチング部５００にスイッチング制御信号(Ｓｃ)を印加して、ＤＣ-ＤＣコンバータ４００から出力される高電圧(Ｖｒｅ)を液晶キャパシタ(ＣＬＣ)の共通電極(ｃｏｍ)に印加するようにスイッチング部５００を制御して、液晶を迅速にリセットさせる。この時、ＯＣＢ液晶の光透過率は、０(ブラック状態)になる。
【００６６】
次に、第nのフレーム、第n+１のフレームが順次動作される。第nのフレームと第n+１のフレームとは、前記第n-１のフレームの動作と同様の動作を行う。また、各フレームの開始初期に、タイミング制御部１００は、スイッチング部５００にスイッチング制御信号(Ｓｃ)を印加して、ＤＣ-ＤＣコンバータ４００から出力される高電圧(Ｖｒｅ)を液晶キャパシタ(ＣＬＣ)の共通電極(ｃｏｍ)に印加するようにスイッチング部５００を制御して、全体画素(Ｐ１１-Ｐｎｍ)のＯＣＢ液晶を同時に迅速にリセットさせる。以下、第nのフレームと第n+１のフレームとの駆動方法は、本発明が属する技術分野において通常の知識を有する者が、前記第n-１のフレームの説明から理解しやすいので、説明を省略することとする。
【００６７】
このように、本発明の第１の実施例によるカラーフィルター方式の液晶表示装置は、各フレームの初期にＤＣ-ＤＣコンバータ４００から出力される高電圧(Ｖｒｅ)を共通電極に印加して、全体画素(Ｐ１１-Ｐｎｍ)のＯＣＢ液晶を同時に迅速にリセットさせることによって、以前フレームにおける画素データが現在フレームに影響を与えて、画面がボケて見えるブラーリング(Blurring)効果を除去すると共に、ＯＣＢモードにおいて液晶をベンド転移させるのに用いられる高電圧をリセット電圧(Ｖｒｅ)として用いるため、リセット時間が短くなるので、ブラックデータの挿入による輝度の減少を防止することができる。
【００６８】
前述した本発明の第１の実施例によるＯＣＢモードを有する液晶表示装置の駆動方法は、カラーフィルター方式またはフィールド順次方式のいずれによっても駆動できることは言うまでもない。
【００６９】
図８は、本発明の第２の実施例によるＯＣＢモードを有するフィールド順次液晶表示装置の駆動方法を示すタイミングチャートである。
【００７０】
図６に示した液晶表示装置を参照して図８を説明すれば、フィールド順次液晶表示装置は、１フレームを赤色(Ｒ)フィールド、緑色(Ｇ)フィールド及び青色(Ｂ)フィールドの３フィールドに分ける。液晶表示パネル６００に列と行とに配置される多数の画素６１０それぞれは、Ｒ、Ｇ及びＢのバックライトから出力されるＲ、Ｇ及びＢの３原色の光を時分割的に順次表示することによって、目の残像効果を利用してカラーイメージを表示する。
【００７１】
まず、１フレームのうち、Ｒフィールドの間に、スキャンドライバ２００から第１のスキャンライン(Ｓ１)に第１のスキャン信号(Ｓ１(Ｒ))が印加されると、前記第１のスキャンライン(Ｓ１)と接続された画素(Ｐ１１-Ｐ１ｍ)が選択され、ソースドライバ３００からデータ信号(Ｄ１-Ｄｍ)としてＲデータ信号(ＤＲ １１-ＤＲ１ｍ)が第１のスキャンライン(Ｓ１)に接続された画素(Ｐ１１-Ｐ１ｍ)の液晶キャパシタ(ＣＬＣ)の下部電極である画素電極に与えられる。Ｒフィールドの間に、液晶キャパシタ(ＣＬＣ)の上部電極である共通電極(ｃｏｍ)には、基準電圧としての共通電圧(Ｖｃｏｍ)が印加される。この時、Ｒフィールド期間の間に、赤色バックライト(ＲＬＥＤ)は光源を出力して、前記データ信号(ＤＲ１１-ＤＲ１ｍ)に相応する透過率として、ＯＣＢ液晶は緑色光源を透過させる。
【００７２】
Ｒフィールドにおいて、次の１フレームのＧフィールドに移る前に、タイミング制御部１００は、スイッチング部５００にスイッチング制御信号(Ｓｃ)を印加し、ＤＣ-ＤＣコ
ンバータ４００から出力される高電圧を液晶キャパシタ(ＣＬＣ)の共通電極(ｃｏｍ)に印加して、ＯＣＢ液晶を迅速にリセットさせる。この時、液晶の光透過率は、０(ブラック状態)になる。
【００７３】
次に、１フレームのうち、Ｇフィールドの間に、スキャンドライバ２００から第１のスキャンライン(Ｓ１)に第２のスキャン信号(Ｓ１(Ｇ))が印加されると、前記第１のスキャンライン(Ｓ１)と接続された画素(Ｐ１１-Ｐ１ｍ)が選択され、ソースドライバ３００からデータ信号(Ｄ１-Ｄｍ)としてＧデータ信号(ＤＧ１１- ＤＧ１ｍ)が第１のスキャンライン(Ｓ１)に接続された画素(Ｐ１１-Ｐ１ｍ)の液晶キャパシタ(ＣＬＣ)の下部電極である画素電極に与えられる。Ｇフィールドの間に、液晶キャパシタ(ＣＬＣ)の上部電極である共通電極(ｃｏｍ)には、基準電圧としての共通電圧(Ｖｃｏｍ)が印加される。この時、Ｇフィールド期間の間に、緑色バックライト(ＧＬＥＤ)は光源を出力して、前記データ信号(ＤＧ１１- ＤＧ１ｍ)に相応する透過率として、ＯＣＢ液晶は緑色光源を透過させる。
【００７４】
Ｇフィールドにおいて、次の１フレームのＢフィールドに移る前に、タイミング制御部１００は、スイッチング部５００にスイッチング制御信号(Ｓｃ)を印加し、ＤＣ-ＤＣコンバータ４００から出力される高電圧を液晶キャパシタ(ＣＬＣ)の共通電極(ｃｏｍ)に印加して、ＯＣＢ液晶を迅速にリセットさせる。この時、液晶の光透過率は、０(ブラック状態)になる。
【００７５】
最後に、１フレームのうち、Ｂフィールドの間に、スキャンドライバ２００から第１のスキャンライン(Ｓ１)に第３のスキャン信号(Ｓ１(Ｂ))が印加されると、前記第１のスキャンライン(Ｓ１)と接続された画素(Ｐ１１-Ｐ１ｍ)が選択され、ソースドライバ３００からデータ信号(Ｄ１-Ｄｍ)としてＢデータ信号(ＤＢ１１- ＤＢ１ｍ)が第１のスキャンライン(Ｓ１)に接続された画素(Ｐ１１-Ｐ１ｍ)の液晶キャパシタ(ＣＬＣ)の下部電極である画素電極に与えられる。Ｂフィールドの間に、液晶キャパシタ(ＣＬＣ)の上部電極である共通電極(ｃｏｍ)には、基準電圧としての共通電圧(Ｖｃｏｍ)が印加される。この時、Ｂフィールド期間の間に、青色バックライト(ＧＬＥＤ)は光源を出力して、前記データ信号(ＤＢ１１- ＤＢ１ｍ)に相応する透過率として、ＯＣＢ液晶は青色光源を透過させる。
【００７６】
Ｂフィールドにおいて、次の２フレームのＲフィールドに進める前に、タイミング制御部１００は、スイッチング部５００にスイッチング制御信号(Ｓｃ)を印加し、ＤＣ-ＤＣコンバータ４００から出力される高電圧を液晶キャパシタ(ＣＬＣ)の共通電極(ｃｏｍ)に印加して、ＯＣＢ液晶を迅速にリセットさせる。この時、液晶の光透過率は、０(ブラック状態)になる。
【００７７】
次に、１フレームの各Ｒ、Ｇ、Ｂフィールド毎に、第２のスキャンライン(Ｓ２)にスキャン信号(Ｓ２(Ｒ)(Ｇ)(Ｂ))が順次印加されると、前記第１のフレームと 同じく、データライン(Ｄ１-Ｄｍ)にＲ、Ｇ、Ｂデータ信号(ＤＲ２１- ＤＲ２ｍ 、 ＤＧ ２１- ＤＧ２ｍ 、ＤＢ２１- ＤＢ２ｍ)が順次第２のスキャンライン(Ｓ２)に接続された画素(Ｐ２１-Ｐ２ｍ)の液晶キャパシタ(ＣＬＣ)の下部電極である画素電極に与えられる。Ｒ、Ｇ、Ｂフィールドの各々の間に、液晶キャパシタ(ＣＬＣ)の上部電極である共通電極(ｃｏｍ)には、基準電圧としての共通電圧(Ｖｃｏｍ)が印加される。この時、Ｒ、Ｇ、Ｂフィールド期間の間に、赤色、緑色、青色のバックライト(ＲＬＥＤ、ＧＬＥＤ、ＢＬＥＤ)は、各フィールドから光源を順次出力して、前記Ｒ、Ｇ、Ｂデータ信号(ＤＲ２１-ＤＲ２ｍ 、ＤＧ２１-ＤＧ２ｍ 、ＤＢ２１-ＤＢ２ｍ)に相応する透過率として、各画素(Ｐ２１-Ｐ２ｍ)のＯＣＢ液晶は、赤色、緑色、青色の光源を順次透過させる。
【００７８】
第１のフレームの第２のスキャンライン(Ｓ２)においても前記第１のスキャンライン(
Ｓ１)と同様に、一つのフィールドから次のフィールドに移る前に、タイミング制御部１００は、スイッチング部５００にスイッチング制御信号(Ｓｃ)を印加し、ＤＣ-ＤＣコンバータ４００から出力される高電圧を液晶キャパシタ(ＣＬＣ)の共通電極(ｃｏｍ)に印加して、ＯＣＢ液晶を迅速にリセットさせた後、次のフィールドに進行される。
【００７９】
前記のような動作を繰り返して、１フレームの各Ｒ、Ｇ、Ｂフィールド毎に、第ｍのスキャンライン(Ｓｎ)にスキャン信号が印加されると、データライン(Ｄ１-Ｄｍ)からＲ、Ｇ、Ｂデータ信号(ＤＲｎ１-ＤＲｎｍ、ＤＧｎ１-ＤＧｎｍ、ＤＢｎ１-ＤＢｎｍ)が順次第ｎのスキャンライン(Ｓｎ)に接続された画素(Ｐｎ１-Ｐｎｍ)の液晶キャパシタ(ＣＬＣ)の下部電極である画素電極に与えられる。Ｒ、Ｇ、Ｂフィールドの各々の間に、液晶キャパシタ(ＣＬＣ)の上部電極である共通電極(ｃｏｍ)には、基準電圧としての共通電圧(Ｖｃｏｍ)が印加される。この時、Ｒ、Ｇ、Ｂフィールド期間の間に、赤色、緑色、青色のバックライト(ＲＬＥＤ、ＧＬＥＤ、ＢＬＥＤ)は、各フィールドから光源を順次出力して、前記Ｒ、Ｇ、Ｂデータ信号(ＤＲｎ１-ＤＲｎｍ、ＤＧｎ１-ＤＧｎｍ、ＤＢｎ１-ＤＢｎｍ)に相応する透過率として、各画素(Ｐｎ１-Ｐｎｍ)のＯＣＢ液晶は、赤色、緑色、青色の光源を順次透過させる。
【００８０】
第１のフレームの第ｎのスキャンライン(Ｓｎ)においても前記第１のスキャンライン(Ｓ１)と同様に、一つのフィールドから次のフィールドに移る前に、タイミング制御部１００は、スイッチング部５００にスイッチング制御信号(Ｓｃ)を印加し、ＤＣ-ＤＣコンバータ４００から出力される高電圧を液晶キャパシタ(ＣＬＣ)の共通電極(ｃｏｍ)に印加して、ＯＣＢ液晶を迅速にリセットさせた後、次の２フレームに進行される。
【００８１】
したがって、１フレームは、３つのＲ、Ｇ、Ｂフィールドに分割され、３フィールドの間に、Ｒ、Ｇ、Ｂデータ及びバックライトを順次駆動させることによって画像を表示することになる。この時、Ｒ、Ｇ、Ｂバックライトが順次発光される時間が非常に早いので、人々は、Ｒ、Ｇ、Ｂバックライトが同時に発光されると認識して、画像を正常に表示することになるのである。
【００８２】
本発明の第２の実施例によるフィールド順次液晶表示装置は、各フィールドの中間にＤＣ-ＤＣコンバータ４００から出力される高電圧を共通電極に印加してＯＣＢ液晶をリセットすることによって、以前フィールドでのデータが現在のフィールドに影響を与えて、画面がボケて見えるブラーリング(Blurring)効果を除去すると共に、ＯＣＢモードにおいてＯＣＢ液晶をベンド転移させるのに用いられる高電圧をリセット電圧として用いるため、リセット時間が短くなるので、ブラックデータの挿入による輝度の減少を防止することができる。
【００８３】
図９は、本発明の第３の実施例によるＯＣＢモードを有する液晶表示装置の駆動方法を示すタイミングチャートである。
【００８４】
図６に示した液晶表示装置を参照して図９を説明すれば、本発明の第３の実施例による液晶表示装置の駆動方法は、スキャンドライバ２００からスキャンライン(Ｓ１- Ｓｎ)にスキャン信号が順次印加されると、前記スキャンライン(Ｓ１- Ｓｎ)と接続された複数の画素(Ｐ１１- Ｐｎｍ)が順次選択され、ソースドライバ３００からデータ信号(Ｄ１１、Ｄ１２、Ｄ１３、・・・)がスキャンライン(Ｓ１- Ｓｎ)に接続された多数の画素(Ｐ１１-Ｐ１ｍ)の各々の液晶キャパシタ(ＣＬＣ)の下部電極である画素電極に与えられる。この時、複数のスキャンライン(Ｓ１- Ｓｎ)が駆動される間に、液晶キャパシタ(ＣＬＣ)の上部電極である共通電極(ｃｏｍ)には、基準電圧としての共通電圧(Ｖｃｏｍ)が印加される。なお、スキャンライン(Ｓ１- Ｓｎ)が駆動される間に、バックライト８００は光源を出力して、前記データ信号(Ｄ１１、Ｄ１２、Ｄ１３、・・・)に相応する透過率を持つＯＣ
Ｂ液晶を透過して、赤色、緑色及び青色のカラーフィルターを通じて表示される。
【００８５】
また、図９では、各画素にデータ信号(Ｄ１１、Ｄ１２、Ｄ１３、・・・)が印加される前に、タイミング制御部１００は、スイッチング部５００にスイッチング制御信号(Ｓｃ)を印加し、ＤＣ-ＤＣコンバータ４００から出力される高電圧(Ｖｒｅ)を液晶キャパシタ(ＣＬＣ)の共通電極(ｃｏｍ)に印加して、ＯＣＢ液晶を迅速にリセットさせる。この時、液晶の光透過率は、０(ブラック状態)になる。ここで、ｔre は、リセット時間を表し、従来の５Ｖから７Ｖ程度のリセット電圧に比べて、１５Ｖから３０Ｖのリセット電圧を印加するので、前記リセット時間(ｔre)は非常に短縮される。
【００８６】
このように、本発明の第３の実施例による液晶表示装置は、各画素にデータが入力される初期に、ＤＣ-ＤＣコンバータ４００から出力される高電圧(Ｖｒｅ)を共通電極に印加して各画素(Ｐ１１-Ｐｎｍ)のＯＣＢ液晶を迅速にリセットさせることによって、以前データの影響によって画面がボケて見えるブラーリング(Blurring)効果を除去すると共に、ＯＣＢモードにおいてＯＣＢ液晶をベンド転移させるのに用いられる高電圧をリセット電圧(Ｖｒｅ)として用いるため、リセット時間が短くなるので、ブラックデータの挿入による輝度の減少を防止することができる。
【００８７】
以上では、本発明の実施例を参照してＯＣＢモードの液晶表示装置について説明したが、該当の技術分野の通常の知識を持つ当業者は、下記の特許請求の範囲に記載の本発明の思想及び領域から逸脱しない範囲内において本発明を様々に修正及び変更できることが理解できるだろう。
【符号の説明】
【００８８】
１００ タイミング制御部
２００ スキャンドライバ
３００ ソースドライバ
４００ ＤＣ−ＤＣコンバータ
５００ スイッチング
６００ 液晶表示パネル
６１０ 画素
７００ 光源制御器
８００ バックライト
９００ 階調電圧発生部
【図１】
2010033076.tif 000003
【図２】
2010033076.tif 000004
【図３】
2010033076.tif 000005
【図４】
2010033076.tif 000006
【図５】
2010033076.tif 000007
【図６】
2010033076.tif 000008
【図７】
2010033076.tif 000009
【図８】
2010033076.tif 000010
【図９】
2010033076.tif 000011